(57)【要約】  シガレットパックのパーセルは、シガレットパック（４）のパックグループ（ＰＧ）を包み込む包装紙（２）を含み、この包装紙（２）はその両端部を互いに重ね合して形成されたたシームライン（ＳＬ）と、このシームライン（ＳＬ）の外側の端縁（２ａ）に形成された複数のＹ字ノッチ（２２）と、シームライン（ＳＬ）に沿って延び、包装紙（２）の両端部を互いに接着する接着域（３４）を備え、接着域（３４）は隣接するＹ字ノッチ（２２）間の端縁（２ａ）の部位を除いて包装紙（２）の両端部を相互に接着し、前記端縁（２ａ）の部位をパーセルを開封するための撮み（３６）に形成する。
2008065914.tif 000002
【特許請求の範囲】
【請求項１】
一方向に隣接して並ぶ複数のシガレットパックを含むパックグループと、
前記パックグループを包み込む包装紙と
を備え、
前記包装紙は、
包装紙の両端部を互いに重ね合わせて形成され且つ前記一方向に延びるシームラインと、
前記シームラインを形成する前記包装紙の前記両端部のうち外側に位置付けられた一端部の端縁に形成され、前記一方向に互いに離間して配置された複数の切欠と、
前記シームラインに設けられ、隣接する前記切欠間の部位を残して前記包装紙の前記両端部を互いに接着する接着域と
を含む、シガレットパックのパーセル。
【請求項２】
前記パックグループは２段のパック列を含み、各段のパック列は、前記一方向に互いに隣接して配置された複数のシガレットパックを有する、請求項１のシガレットパックのバーセル。
【請求項３】
前記各パック列は５個のシガレットパックを有する、請求項２のガレットパックのパーセル。
【請求項４】
前記切欠は３個備えられており、これら切欠は前記パック列の中央及びその両端に配置されたシガレットパックにそれぞれ対応して位置付けられている、請求項３のシガレットパックのパーセル。
【請求項５】
前記切欠はＹ字形状のノッチであり、このＹ字ノッチは前記包装紙の前記外側端縁に形成されたＶ字部と、このＶ字部の頂点から延びるＩ字部とを有する、請求項１のシガレットパックのパーセル。
【請求項６】
前記Ｙ字ノッチの前記Ｉ字部は互いに平行である、請求項５のシガレットパックのパーセル。
【請求項７】
前記接着域は、前記シームラインに沿って延びる帯状をなし、前記Ｙ字ノッチの前記Ｖ字部を避けて前記Ｉ字部を通過する、請求項５のシガレットパックのパーセル。
【請求項８】
前記接着域は、前記シームラインの全域に沿って延びている、請求項７のシガレットパックのパーセル。
【請求項９】
前記包装紙は三層構造をなし、その両面をそれぞれ形成する一対の紙層と、これら紙層間に挟み込まれ、紙層を互いに接着する遮湿層とを有する、請求項１のシガレットパックのパーセル。
【請求項１０】
前記遮湿層は、ホットメルト糊から形成されている、請求項９のシガレットパックのパーセル。
【請求項１１】
前記パックグループは、一方のパック列により形成され、シガレットパックの正面が連続する上面と、他方のパック列により形成され、シガレットパックの背面が連続する下面とを有し、
前記シームラインは、前記パックグループの前記上面に配置されている、請求項２のシガレットパックのパーセル。
【請求項１２】
前記シームラインは、前記パックグループにおける前記上面の前記一方向に沿う長辺の近傍に位置付けられている、請求項１１のシガレットパックのパーセル。
【請求項１３】
前記パックグループの前記長辺は、前記シガレットパックの前記正面と底との間の角により形成されている、請求項１１のシガレットパックのパーセル。
【請求項１４】
前記シガレットパックは、前記包装紙に直接に接触する紙製のアウタボックスを含み、このアウタボックスはその開口端を開閉するタングリッドを有し、このタングリッドはアウタボックスの前記正面に重ね合わされるタングを備える、請求項１２のシガレットパックのパーセル。
【発明の詳細な説明】
【技術分野】
【０００１】
本発明は、シガレットパックのためのパーセルに関する。
【背景技術】
【０００２】
この種のパーセルは、例えば１０個のシガレットパックを有するパックグループと、このパックグループを包み込む包装紙とを含む。具体的には、パックグループは上下２段に重ね合わされたパック列を含み、各パック列は一列に並ぶ５個のシガレットパックを有し、する。【０００３】
一方、包装紙は予め形成された穿孔列を有する（特許文献１の図１参照）。このような穿孔列は包装紙の破断、つまり、パーセルの開封を容易にする。
【特許文献１】特開平10-230552号公報
【発明の開示】
【発明が解決しようとする課題】
【０００４】
特許文献１の包装紙を含むパーセルは、包装紙の穿孔列を通じ、その内部への外気の導入を許容する。それ故、パーセル内の個々のシガレットパックは包装紙により包まれていても、外気に晒された状態にある。【０００５】
このため、外気が多量の湿気を含む状況にあるとき、パーセル内に穿孔列を通じて湿気が侵入する。しかしながら、通常のシガレットパックは最も外側にて上包みフィルムにより包み込まれているため、パーセル内に湿気が侵入しても、シガレットパック、即ち、シガレットパック内に含まれるシガレットや、フィルタシガレットの品質が悪化する虞は少ない。【０００６】
一方、近年にあっては、環境負荷の軽減を図るために、シガレットパックの過剰包装を回避することが望まれている。具体的には、上述した上包みフィルムを省略した改良型シガレットパックの開発が進められている。【０００７】
しかしながら、上述した改良型シガレットパックが包装紙により包み込まれたパーセルとして提供される場合、改良型シガレットパックの品質は、包装紙の穿孔列を通じてパーセル内に侵入する湿気により、通常のシガレットパックに比べて大きな悪影響を受ける。【０００８】
本発明の目的は、シガレットパックに対する防湿性を高め、且つ、その開封性にも優れたシガレットパックのパーセルを提供することにある。
【課題を解決するための手段】
【０００９】
上記の目的を達成するため、本発明のシガレットパックのパーセルは、一方向に隣接して並ぶ複数のシガレットパックを含むパックグループと、このパックグループを包み込む包装紙とを備え、この包装紙は、その両端部を互いに重ね合わせて形成され且つ一方向に延びるシームラインと、このシームラインを形成する包装紙の両端部のうち外側の一端部の端縁に形成され、一方向に互いに離間して配置された複数の切欠と、シームラインに設けられ、切欠間の部位を残して包装紙の両端部を互いに接着する接着域とを含む。【００１０】
上述のパーセルによれば、包装紙の接着域は切欠間の部位に存在していないので、包装紙の一端部は隣接する切欠間の部位にて、包装紙の他端部に接着されていない。それ故、パーセルを開封するに先立ち、ユーザは切欠間の部位にて一端部の端縁を持ち上げ、この部位を撮みとして形成することができる。それ故、ユーザは、指で摘みを挟持し、そして、パーセルの周方向に沿って摘みを引っ張ることで、包装紙は撮みの両側の切欠からそれぞれ帯状に破断し、これにより、パーセルを容易に開封することができる。この結果、パーセルの開封のために、包装紙に穿孔列を形成する必要はない。【００１１】
具体的には、パックグループは２段のパック列を含み、各段のパック列は、一方向に互いに隣接して配置された複数のシガレットパックを有する。この場合、各パック列は５個のシガレットパックを有することができる。【００１２】
このようなパックグループの場合、切欠は３個備えられているのが好ましく、これら切欠はパック列の中央及びその両端に配置されたシガレットパックにそれぞれ対応して位置付けられている。【００１３】
３つの切欠は、パーセルに２つの摘みを提供し、これら摘みから包装紙を順次破断していくことにより、パーセルを容易に開封することができる。【００１４】
具体的には、切欠はＹ字形状のノッチであり、このＹ字ノッチは包装紙の一端縁に形成されたＶ字部と、このＶ字部の頂点から延びるＩ字部とを有する。この場合、Ｙ字ノッチのＩ字部は互いに平行であるのが望ましい。パーセルの開封時、包装紙はＹ字ノッチにおけるＶ字部の頂点、即ち、Ｉ字部を破断の開始点として、摘みから帯状に確実且つ容易に破断される。【００１５】
更に、接着域は、シームラインに沿って延びる帯状をなし、Ｙ字ノッチのＶ字部を避けてＩ字部を通過することができ、この場合、接着域は、シームラインの全域に沿って延びているのが好ましい。このような接着域はパーセル内への湿気の侵入をシームラインにて確実に阻止することができる。【００１６】
一方、包装紙は三層構造をなし、その両面をそれぞれ形成する一対の紙層と、これら紙層間に挟み込まれ、紙層を互いに接着する遮湿層とを有するのが好ましい。この場合、遮湿層は、ホットメルト糊から形成されている。このような遮湿層は包装紙の防湿性を高める。それ故、シガレットパックは上包みフィルムによる包装を必要としない。【００１７】
更にまた、上述したパックグループは、一方のパック列により形成され、シガレットパックの正面が連続する上面と、他方のパック列により形成され、シガレットパックの背面が連続する下面とを有し、シームラインは、パックグループの上面、より具体的には、この上面の一方向に沿う長辺の近傍に位置付けられているのが好ましい。この場合、シームラインは、パーセルの広い面に配置されているので、一方の手の平上にてパーセルの広い面を上向きにして把持し、この状態で、撮みを他方の手の指間に挟み込んで、パーセルの開封が可能となる。【００１８】
本発明の他の利点は、添付図面及びこの添付図面を参照しながら以下に説明される発明の最良の形態から明らかになる。
【図面の簡単な説明】
【００１９】
【図１】一実施例のパーセルを示した斜視図である。
【図２】図１のパーセルが開封された状態を示す斜視図である。
【図３】図１，２のパーセルに含まれるシガレットパックの斜視図である。
【図４】図１の包装紙の展開図である。
【図５】図４の包装紙の一部の断面図である。
【図６】パックグループが包装紙により包まれる直前の状態を示した図である。
【図７】包装紙がパックグループの回りにチューブ状に巻付けられた状態を示す図である。
【図８】図７のチューブ状の包装紙を示した斜視図である。
【図９】図８における包装紙のシームラインの一部を拡大して示す図である。
【発明を実施するための最良の形態】
【００２０】
図１及び図２はシガレットパックのパーセルを示す。
パーセルは、パックグループＰＧ（図２）と、このパックグループＰＧを包み込む包装紙２とを含み、パックグループＰＧは例えば１０個のシガレットパック４を有する。【００２１】
より詳しくは、パックグループＰＧは上下２段に積み重ねられたパック列を含み、各段のパック列は図２に示されるように５個のシガレットパック４をする。パック列中にて、シガレットパック４はその側面同士を互いに隣接させた状態で、一方向に並んで配置されている。それ故、パックグループＰＧは、上段及下段のパック列により形成されて、前記一方向に延びる上面及び下面をそれぞれ有する。例えば、パックグループＰＧの上面は、上段のシガレットパック４の正面により形成され、これに対し、パックグループＰＧの下面は下段のシガレットパック４の背面により形成されている。この場合、上段のシガレットパック４の背面と下段の対応するシガレットパック４の正面は互いに重なり合った状態にある。【００２２】
本実施例のシガレットパック４は一般的なヒンジリッドパックとは異なり、図３に示されるようなタングリッドパックである。この場合、シガレットパック４は、紙からなるアウタボックス６と、このアウタボックス６内に収容された内容物（図示しない）と含む。内容物は、例えば２０本のフィルタシガレットの束と、この束を包み込む内側包材とを有する。【００２３】
アウタボックス６はそのトップにタングリッド８を備えており、このタングリッド８はアウタボックス６の開口端を開閉するためのリッド１０と、アウタボックス６の正面に重ね合われるリッド１２と、リッド１２の両側に破断線１４を介して接続された一対の耳１６とを有し、これら耳１６はアウタボックス６の対応する側面にそれぞれ接着されている。【００２４】
図３に示された状態からタングリッド８が最初に開かれたとき、リッド１２は破断線１４に沿って一対の耳１６から切り離される。この後、タングリッド８が閉じられたとき、リッド１２の先端部はアウタボックス６の正面に形成されたＶ字形のスリット１８を通じてアウタボックス６内に差し込まれる。このようなリッド１２の差込みは、タングリッド８の閉状態を確実に維持する。【００２５】
更に、図３から明らかなようにアウタボックス６の正面には凹み２０が形成されており、この凹み２０はリッド１２の先端部に対応した形状を有する。タングリッド８が最初に開かれるまでの間、リッド１２の先端部は凹み２０内に位置付けられ、アウタボックス６の正面からリッド１２の先端部がはみ出すことはない。【００２６】
シガレットパック４は、アウタボックス６を包み込む透明な上包みフィルムを含んでいない。それ故、シガレットパック４が包装紙２により包み込まれた状態、即ち、パーセルの状態にあるとき、アウタボックス６は包装紙２に直接に接触する。【００２７】
図４は包装紙２の展開図を示す。
包装紙２は、包材ウエブ（図示しない）を所定の長さ毎に切断して得られる。具体的には、包材ウエブが所定の経路に沿って繰り出されているとき、包材ウエブは経路上にて個々の包装紙２に切断される。図４中の矢印Ａは包材ウエブの繰出し方向を示す。【００２８】
包装ウエブの切断は包装紙２の両端縁２ａ，２ｂをそれぞれ形成する。より詳しくは、包装紙２の一端縁２ａは例えば３個のＹ字ノッチ２２を有し、これらＹ字ノッチ２２は一端縁２ａに沿って互いに所定の間隔を存して離間している。各Ｙ字ノッチ２２は一端縁２ａを切り欠いて得られたＶ字部２２Ｖと、このＶ字部２２Ｖの頂点から包装紙２の側縁に沿い包装紙２の他端縁２ｂに向けて延びるＩ字部２２Ｉとを有し、これらＩ字部２２Ｉは互いに平行である。【００２９】
一方、一端縁２ａへのＹ字ノッチ２２の形成は、包装紙２の他端縁２ｂにこの他端縁２ｂから突出した三角歯２４を同時に形成し、この三角歯２４はＹ字ノッチ２２のＶ字部２２Ｖに対応する。【００３０】
図４から明らかなように包装紙２の幅は、パックグループＰＧの長手方向（前述の一方向に相当）に沿う長さよりも長い。それ故、包装紙２に対してパックグループＰＧが図４に示される位置に配置され、この状態から包装紙２がパックグループＰＧの回りに巻付けられたとき、包装紙２はパックグループＰＧａを囲むチューブ形状に形成され、このチューブ状の包装紙２は矩形の端面形状を有し、そして、パックグループＰＧの両端面からそれぞれ突出した矩形耳をそれぞれ形成する。【００３１】
上述した包装紙２の巻付けは包装紙２に図４中の破線で示されるような折込み跡を形成する。更に、図４に示されるように、包装紙２の両側部には４つの切込み線２６が予め形成されている。パックグループＰＧが包装紙２により包み込まれるとき、４つの切込み線２６はパックグループＰＧにおける下面の２つの長辺の延長線上に位置すべく、パックグループＰＧの左右にそれぞれ一対ずつ配置される。【００３２】
それ故、包装紙２がチューブ状に形成されたとき、切込み線２６は前述した各矩形耳の一部をアウタフラップ２８に形成し、このアウタフラップ２８は矩形耳の他の部位から分離された状態にある。なお、切込み線２６は、包材ウエブから包装紙２が形成されるとき、この包装紙２に形成される。【００３３】
図５は包装紙２の断面を示す。図５から明らかなように、包装紙２は三層構造を有し、包装紙２の両面を形成する一対の紙層３０と、これら紙層３０間に挟み込まれた遮湿層３２とを有する。具体的には、遮湿層３２はホットメルト糊により形成され、これにより、一対の紙層３０は遮蔽層３２を介して互いに接着されている。【００３４】
図６〜図８は、パックグループＰＧに対する包装紙２の巻付けプロセスをより明瞭に示す。
先ず、図６に示されるように、包装紙２上にパックグループＰＧが配置され、パックグループＰＧの下面は包装紙２に接触する。これは、図４の状態に対応する。この後、図６パックグループＰＧが包装紙２に向けて押し下げられると、包装紙２はパックグループＰＧの回りにＵ字状に巻付けられる。この後、包装紙２の端縁２ｂを有する他端部がパックグループＰＧの上面に折り込まれた後、包装紙２の端縁２ａを有する一端部がパックグループＰＧの上面に折り込まれる、図７に示されるよう一端部は他端部に互いに重ね合わされる。【００３５】
このような両端の重ね合わせは、図８から明らかなようにチューブ状の包装紙２にシームラインＳＬを形成し、このシームラインＳＬは前述したＹ字ノッチ２２を有し、パックグループＰＧの上面に位置付けられている。【００３６】
より詳しくは、シームラインＳＬはパックグループＰＧの上面にて、シガレットパック４の底側に位置するパックグループＰＧの長辺の近傍に位置付けられており、それ故、包装紙２の一端部はパックグループＰＧにおける上面の大部分を覆っている。更に、シームラインＳＬのＹ字ノッチ２２は、パックグループＰＧの上段のパック列に関し、パック列の中央に位置するシガレットパック４と、パック列中の両端に位置するシガレットパック４とにそれぞれ対応する位置に位置付けられている。【００３７】
なお、包装紙２がチューブ状に成形される前に、包装紙２における一端部の内面には接着剤が塗布されている。それ故、包装紙２の一端部が他端部に重ね合わされてシームラインＳＬが形成されたとき、一端部は他端部に接着される。【００３８】
この後、パックグループＰＧから突出したチューブ状の包装紙２の両端部、即ち、矩形耳Ｅは公知の如く折り込まれる。具体的には、図８でみて、矩形耳Ｅの左右の側面Ｅｓが先ず折り込まれ、ここでの折込みは矩形耳Ｅに前述したアウタフラップ２８と平行なインナフラップを形成する。この後、インナフラップが折り込まれ、そして、アウタフラップ２８が折り込まれる。折り込まれたアウタフラップ２８はインナフラップに重ね合わされ、このインナフラップに接着される。即ち、アウタフラップ２８の内面には接着剤が予め塗布されている。【００３９】
上述の矩形耳Ｅの折込みは、パックグループＰＧの対応する端面を包装紙２により完全に閉塞し、この結果、図１に示されたパーセルが得られる。【００４０】
図９中、斜線の部位は包装紙２の一端部に塗布された接着剤の領域、即ち、接着域３４を示す。この接着域３４は、シームラインＳＬの全域に沿って延びる帯状をなしているが、接着域３４と包装紙２の一端縁２ａとの間には所定の非接着域が残されている。具体的には、非接着域は、Ｙ字ノッチ２２のＶ字部２２Ｖに相当する幅を有する。【００４１】
それ故、包装紙２のシールラインＳＬにおいて、Ｙ字ノッチ２２のＶ字部２２Ｖ間の部位や、パーセルの端面からＹ字ノッチ２２のＶ字部２２Ｖまで部位は包装紙２の他端部に対して接着されておらず、これらの部位は他端縁２ｂから持ち上げ可能な複数の撮み３６を形成する。【００４２】
上述のパーセルからパックグループＰＧの個々のシガレットパック４を取り出すために、ユーザはシームラインＳＬにおける１つの撮み３６を指で挟持した状態で、この撮み３６をパーセルの周方向に引っ張ることができる。この結果、包装紙２は撮み３６の両側に位置する一対のＹ字ノッチ２２のＩ字部２２Ｉをその破断の開始点として、図２に示されるように帯状に広く裂ける。この後、ユーザは他の撮み３６を指で挟持し、この他の撮み３６から包装紙２を同様にして帯状に破断することができ、パーセルを容易に開封することができる。【００４３】
この点に関して詳述すれば、撮み３６を形成する一対のＹ字ノッチ２２は互いに平行なＩ字部２２Ｉを有しているので、撮み３６がパーセルの周方向に引っ張られれば、包装紙２は確実且つ安定して帯状に裂ける。【００４４】
シールラインＳＬは、パックグループＰＧに関して、シガレットパック４の底の近傍に位置付けられているので、包装紙２が撮み３６から帯状に破断されたとき、図２から明らかなようにパックグループＰＧはその上面及びこの上面に連なる隣接面が大きく露出され、パーセルからの個々のシガレットパック４の取出しが容易になる。【００４５】
シガレットパック４が取り出されるとき、ユーザは、タングリッド８を備えたシガレットパック４のトップ部を然的に把持する（図２参照）。それ故、この取出しに引き続いてユーザが自動販売機内にシガレットパック４を供給又は補給したとき、これらシガレットパック４はその底が自動販売機のストックカラムの奥に位置する一定の姿勢で、ストックカラム内に収納される。即ち、図３のシガレットパック４はそのタングリッド８がストックカラムからのシガレットパック４の払い出し方向でみて先頭となるように、ストックカラム内に積み上げて収納される。【００４６】
このような収納状態にあれば、ストックカラムからシガレットパック４が払い出されるとき、シガレットパック４のタングリッド８はその上側に積み重ねられているシガレットパック４に引っ掛かることない。それ故、シガレットパック４の払い出しは安定して且つ確実に実施される。【００４７】
この結果、パーセルのシームラインＳＬがシガレットパック４の底側（図８参照）に位置付けられていることは、パーセルから取り出されたシガレットパック４が自動販売機内に供給又は補給される際、ストックカラム内にシガレットパック４を上述した姿勢に揃えて容易に収納できることを意味し、本実施例のパーセルは図３のシガレットパック４に好適する。【００４８】
更に、包装紙２はその内部にホットメルト糊からなる遮湿層３２を有しているので、周囲の湿気が包装紙２を通じてパーセル内に侵入する虞もない。それ故、前述したようにシガレットパック４が上包みフィルムを有していなくても、パーセルはシガレットパック４に対する防湿性を十分に発揮する。【００４９】
また、図９から明らかなように、パーセルの開封前において、帯状の接着域３４はシームラインＳＬの全域に沿って延びているので、撮み３６の存在に拘わらず、シームラインＳＬでの防湿性をより向上する。【００５０】
本発明は上述した一実施例に制約されるものではなく、種々の変形が可能である。
例えば、包装紙２の防湿性が高い場合、前述した接着域３４は、前述した非接着域を残し、シールラインＳＬに沿い所定の間隔を存して塗布された接着剤によって形成されていてもよい。この場合、接着剤は、スポット又はバー状に塗布されるが、これに制約されるものでもない。【００５１】
また、シームラインＳＬはパックグループＰＧの上面ではなく、その下面又は側面に位置付けることも可能であり、パックグループＰＧを形成するシガレットパックやＹ字ノッチ２２の個数もまた、上述の個数に限られるものではない。【００５２】
更に、パーセル内のパックグループＰＧを形成する個々のシガレットパックは上包みフィルムを備えた通常のヒンジリッドパックであってもよい。
【図１】
2008065914.tif 000003
【図２】
2008065914.tif 000004
【図７】
2008065914.tif 000005
【図３】
2008065914.tif 000006
【図４】
2008065914.tif 000007
【図５】
2008065914.tif 000008
【図６】
2008065914.tif 000009
【図８】
2008065914.tif 000010
【図９】
2008065914.tif 000011
【国際調査報告】
2008065914.tif 000012
2008065914.tif 000013
2008065914.tif 000014
2008065914.tif 000015